【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
現在位置を検出する現在位置検出手段と、
地図データが記録された記録媒体から該地図データを読み出す第１記憶手段と、
地図データの書き込みと読み出しが可能な不揮発性の第２記憶手段と、
地図データを用いて前記現在位置に応じたナビゲーション動作を制御し、所定のタイミングで前記第１記憶手段から前記第２記憶手段への地図データの転送指令を送出するナビゲーション制御手段と、
前記転送指令に従って、前記第１記憶手段からの地図データの読み出しと前記第２記憶手段への地図データの転送を制御する転送インターフェース手段と、
を備えることを特徴とするナビゲーションシステム。
【請求項２】
前記第１記憶手段から読み出された地図データは、前記転送インターフェース手段を介して前記第２記憶手段に転送されることを特徴とする請求項１に記載のナビゲーションシステム。
【請求項３】
前記転送インターフェース手段は、前記転送指令の形式を変換して前記第１記憶手段と前記第２記憶手段が識別可能なコマンドを生成するコマンド変換手段と、前記第１記憶手段から前記第２記憶手段への転送動作を前記コマンドに基づいて制御する転送制御手段とを備えることを特徴とする請求項２に記載のナビゲーションシステム。
【請求項４】
前記転送インターフェース手段は、地図データを一時的に保持するメモリ手段を更に備え、
前記転送制御手段は、前記第１記憶手段から前記メモリ手段への転送動作と前記メモリ手段から前記第２記憶手段への転送動作を前記コマンドに基づいて制御することを特徴とする請求項３に記載のナビゲーションシステム。
【請求項５】
前記転送制御手段は、地図データを所定の単位データ量に分割して転送動作を行い、該単位データ量の転送動作を複数回繰り返して地図データを転送することを特徴とする請求項３に記載のナビゲーションシステム。
【請求項６】
前記コマンド変換手段は、前記転送指令の形式を変換して複数の前記コマンドを生成することを特徴とする請求項３に記載のナビゲーションシステム。
【請求項７】
前記単位データ量は、前記メモリ手段の記憶容量に略等しいことを特徴とする請求項５に記載のナビゲーションシステム。
【請求項８】
前記転送インターフェース手段は、前記転送制御手段が前記メモリ手段にアクセスする際のアドレスを発生するアドレス発生手段を更に備えることを特徴とする請求項４に記載のナビゲーションシステム。
【請求項９】
前記転送制御手段は、地図データの転送が終了したことを判別させる信号を前記ナビゲーション制御手段に出力することを特徴とする請求項３に記載のナビゲーションシステム。
【請求項１０】
前記第２記憶手段は、前記第１記憶手段よりも高速なアクセス速度で地図データの書き込みと読み出しが可能であることを特徴とする請求項１に記載のナビゲーションシステム。
【請求項１１】
前記第２記憶手段は、ハードディスク装置であることを特徴とする請求項１０に記載のナビゲーションシステム。
【請求項１２】
前記記録媒体には、全体地図を分割した単位ブロック毎のブロック地図データが記録され、前記転送インターフェース手段は、前記ブロック地図データを読み出して前記第２記憶手段に転送することを特徴とする請求項１から請求項４のいずれかに記載のナビゲーションシステム。
【請求項１３】
前記転送インターフェース手段は、少なくとも１つの前記ブロック地図データを保持可能な記憶容量を有する前記メモリ手段を備えることを特徴とする請求項１２に記載のナビゲーションシステム。
【請求項１４】
前記ナビゲーション制御手段は、転送対象となるブロック地図データが前記第２記憶手段に既に格納されているか否かを判定し、前記第２記憶手段に格納されていないブロック地図データを転送対象とすることを特徴とする請求項１２に記載のナビゲーションシステム。
【請求項１５】
前記ナビゲーション制御手段は、現在位置を含む前記単位ブロックを基準とする複数の周辺単位ブロックからなる領域を転送対象とすることを特徴とする請求項１２に記載のナビゲーションシステム。
【請求項１６】
前記ナビゲーション制御手段は、現在位置から目的地までの最適経路上に重なる複数の単位ブロックからなる領域を転送対象とすることを特徴とする請求項１２に記載のナビゲーションシステム。
【請求項１７】
前記ナビゲーション制御手段は、前記現在位置検出手段により検出された現在位置に応じて画定された所定領域を転送対象とすることを特徴とする請求項１に記載のナビゲーションシステム。
【請求項１８】
前記ナビゲーション制御手段は、移動体が所定距離だけ移動する毎に地図データの前記転送指令を送出することを特徴とする請求項１に記載のナビゲーションシステム。
【請求項１９】
前記ナビゲーション制御手段は、地図データの読み出し指令を送出し、
前記転送インターフェース手段は、前記読み出し指令に従って、地図データを前記第１記憶手段又は前記第２記憶手段から読み出すことを特徴とする請求項１に記載のナビゲーションシステム。
【請求項２０】
現在位置を検出する現在位置検出手段と、
地図データが記録された記録媒体から該地図データを読み出す第１記憶手段と、
地図データの書き込みと読み出しが可能な不揮発性の第２記憶手段と、
地図データの読み出し指令に従って、前記記録媒体に記録された地図データを前記第１記憶手段又は前記第２記憶手段から地図データを読み出す転送インターフェース手段と、
前記転送インターフェース手段により読み出された地図データを用いて前記現在位置に応じたナビゲーション動作を制御し、所定のタイミングで前記読み出し指令を送出するナビゲーション制御手段と、
を備えることを特徴とするナビゲーションシステム。
【請求項２１】
前記読み出し指令には、地図データを前記第１記憶手段から読み出すかあるいは前記第２記憶手段から読み出すかを識別する識別情報が付加されていることを特徴とする請求項２０に記載のナビゲーションシステム。
【手続補正２】
【補正対象書類名】明細書
【補正対象項目名】０００８
【補正方法】変更
【補正の内容】
【０００８】
【課題を解決するための手段】
上記課題を解決するために、請求項１に記載のナビゲーションシステムは、現在位置を検出する現在位置検出手段と、地図データが記録された記録媒体から該地図データを読み出す第１記憶手段と、地図データの書き込みと読み出しが可能な不揮発性の第２記憶手段と、地図データを用いて前記現在位置に応じたナビゲーション動作を制御し、所定のタイミングで前記第１記憶手段から前記第２記憶手段への地図データの転送指令を送出するナビゲーション制御手段と、前記転送指令に従って、前記第１記憶手段からの地図データの読み出しと前記第２記憶手段への地図データの転送を制御する転送インターフェース手段とを備えることを特徴とする。
【手続補正３】
【補正対象書類名】明細書
【補正対象項目名】０００９
【補正方法】変更
【補正の内容】
【０００９】
この発明によれば、ナビゲーションシステムには、例えばＤＶＤ−ＲＯＭやＣＤ−ＲＯＭ等の記録媒体を用いた第１記憶手段と、例えばハードディスク等の第２記憶手段を備えている。ナビゲーション制御手段は、地図データを用いて現在位置に応じたナビゲーション動作を制御しているとき、所定のタイミングになると地図データの転送指令を転送インターフェース手段に送出する。転送インターフェース手段では、受け取った転送指令に従って、第１記憶手段から地図データが読み出され、第２記憶手段に転送されるよう制御する。
【手続補正４】
【補正対象書類名】明細書
【補正対象項目名】００３７
【補正方法】変更
【補正の内容】
【００３７】
請求項１５に記載のナビゲーションシステムは、請求項１２に記載のナビゲーションシステムにおいて、前記ナビゲーション制御手段は、現在位置を含む前記単位ブロックを基準とする複数の周辺単位ブロックからなる領域を転送対象とすることを特徴とする。
【手続補正５】
【補正対象書類名】明細書
【補正対象項目名】００３８
【補正方法】変更
【補正の内容】
【００３８】
この発明によれば、ナビゲーション制御手段は、現在位置が含まれる単位ブロックを基準に現在位置周辺の単位ブロックの範囲内に対応するブロック地図データについて転送指令を送出する。よって、走行中の移動体が通過する可能性の高い単位ブロックについて、事前にブロック地図データを第２記憶手段に転送しておくことができる。
【手続補正６】
【補正対象書類名】明細書
【補正対象項目名】００３９
【補正方法】変更
【補正の内容】
【００３９】
請求項１６に記載のナビゲーションシステムは、請求項１２に記載のナビゲーションシステムにおいて、前記ナビゲーション制御手段は、現在位置から目的地までの最適経路上に重なる複数の単位ブロックからなる領域を転送対象とすることを特徴とする。
【手続補正７】
【補正対象書類名】明細書
【補正対象項目名】００４０
【補正方法】変更
【補正の内容】
【００４０】
この発明によれば、所望の目的地に至る最適経路が設定されると、ナビゲーション制御手段は、現在位置から目的地に沿って最適経路上に重なる複数の単位ブロックの範囲内に対応するブロック地図データについて転送指令を送出する。よって、走行中の移動体が事前に通過することを予定している単位ブロックについて、予めブロック地図データを第２記憶手段に転送しておくことができる。
【手続補正８】
【補正対象書類名】明細書
【補正対象項目名】００４１
【補正方法】変更
【補正の内容】
【００４１】
請求項１７に記載のナビゲーションシステムは、請求項１に記載のナビゲーションシステムにおいて、前記ナビゲーション制御手段は、前記現在位置検出手段により検出された現在位置に応じて画定された所定領域を転送対象とすることを特徴とする。
【手続補正９】
【補正対象書類名】明細書
【補正対象項目名】００４２
【補正方法】変更
【補正の内容】
【００４２】
この発明によれば、現在位置検出手段により検出された現在位置に応じた所定領域が画定され、この領域に対応する地図データが読み出され、所定のタイミングでナビゲーション制御手段により転送指令が送出される。よって、転送対象を限定できるので迅速に転送処理を終えることができると共に、頻繁に走行する地域ほど転送される可能性が高くなり第２記憶手段に格納される地図データの利用価値を高めることができる。
【手続補正１０】
【補正対象書類名】明細書
【補正対象項目名】００４３
【補正方法】変更
【補正の内容】
【００４３】
請求項１８に記載のナビゲーションシステムは、請求項１に記載のナビゲーションシステムにおいて、前記ナビゲーション制御手段は、移動体が所定距離だけ移動する毎に地図データの前記転送指令を送出することを特徴とする。
【手続補正１１】
【補正対象書類名】明細書
【補正対象項目名】００４４
【補正方法】変更
【補正の内容】
【００４４】
この発明によれば、転送ナビゲーション制御手段は、移動体が走行して現在位置が所定距離だけ移動したタイミングで、転送インターフェース手段に転送指令を送出し、これに従って上述のように地図データの転送処理が行われる。よって、転送対象となる所定領域がほぼ変わるタイミングに容易に合致させて転送を行えるので、転送処理を円滑に行うことができる。
【手続補正１２】
【補正対象書類名】明細書
【補正対象項目名】００４７
【補正方法】変更
【補正の内容】
【００４７】
請求項２０に記載のナビゲーションシステムは、現在位置を検出する現在位置検出手段と、地図データが記録された記録媒体から該地図データを読み出す第１記憶手段と、地図データの書き込みと読み出しが可能な不揮発性の第２記憶手段と、地図データの読み出し指令に従って、前記記録媒体に記録された地図データを前記第１記憶手段又は前記第２記憶手段から地図データを読み出す転送インターフェース手段と、前記転送インターフェース手段により読み出された地図データを用いて前記現在位置に応じたナビゲーション動作を制御し、所定のタイミングで前記読み出し指令を送出するナビゲーション制御手段とを備えることを特徴とする。